(57)【要約】【課題】アンチエイリアス処理が施された画像に対してディザマトリクスを用いた減色処理を施した場合のエッジの滑らかさの低下を抑制すること。【解決手段】第３記憶手段２０３は、一の画素に対して定められた位置関係にある画素と、当該画素の階調値に関する階調情報と、当該一の画素をＭ分割（２≦Ｍ）した分割画素の各々と、当該分割画素の各々に割り当てられた２階調の分割画素階調値とが対応付けられたテーブルを記憶する。対象画素抽出手段２０７は、エッジ候補画素から、階調値が第ｂ階調値乃至第ｃ階調値（１＜ｃ＜ｂ＜ａ）である対象画素を抽出する。取得手段２０８は、対象画素に対して定められた位置関係にある画素の階調値に基づいて、分割画素階調値をテーブルから取得する。【選択図】図５
2013200476.tif 000002
【特許請求の範囲】
【請求項１】
ａ階調（２＜ａ）のデータを２階調のデータに変換する減色処理に用いられるディザ値が２次元配置されたディザマトリクスを記憶する第１記憶手段と、
２次元配置された複数の画素の各々に対応付けてａ階調の第１画像データを記憶する第２記憶手段と、
一の画素に対して定められた位置関係にある画素と、当該画素の階調値に関する階調情報と、当該一の画素をＭ分割（２≦Ｍ）した分割画素の各々と、当該分割画素の各々に割り当てられた２階調の分割画素階調値とが対応付けられたテーブルを記憶する第３記憶手段と、
前記複数の画素からエッジの候補であるエッジ候補画素を抽出するエッジ候補画素抽出手段と、
前記エッジ候補画素から、前記第１画像データにおける階調値が第ｂ階調値乃至第ｃ階調値（１＜ｃ＜ｂ＜ａ）である対象画素を抽出する対象画素抽出手段と、
前記対象画素に対して前記定められた位置関係にある画素の階調値に基づいて、当該対象画素をＭ分割した分割画素の各々に対応する分割画素階調値を前記テーブルから取得する取得手段と、
前記対象画素の各々について、前記取得手段によって取得された分割画素階調値をａ階調における第１階調値と第ａ階調値に変換し、変換された階調値と当該対象画素をＭ分割した分割画素の各々とを対応付け、前記エッジ候補画素のうち前記対象画素でない画素の各々について、第１階調値乃至第（ｃ−１）階調値に対応する画素の階調値を第１階調値に変換し、第（ｂ＋１）階調値乃至第ａ階調値に対応する画素の階調値を第ａ階調値に変換し、変換された階調値と当該画素をＭ分割した分割画素とを対応付けて事前減色画像データを生成する事前減色変換手段と、
前記事前減色画像データを前記ディザマトリクスを用いた減色処理によって２階調に変換して変換後画像データを生成するディザ変換手段と
を有することを特徴とする制御装置。
【請求項２】
前記複数の画素から、画像の背景に対応しない非背景画素を抽出する非背景画素抽出手段と、
ａ階調の各階調値を、第１階調値から第（ｃ−１）階調値までの第１範囲と、第（ｂ＋１）階調値から第ａ階調値までの第Ｎ範囲（３≦Ｎ）とを含む互いに重ならないＮ個の範囲に分別し、前記第１画像データにおける階調値が第ｎ範囲（ｎ＝１，２，・・・，Ｎ）に含まれる前記非背景画素の階調値をそれぞれＮ階調における第ｎ階調値に変換してＮ階調の事前変換画像データを生成する事前変換手段を有し、
前記対象画素抽出手段は、前記エッジ候補画素から、前記事前変換画像データにおける階調値が第２階調値乃至第（Ｎ−１）階調値である画素を前記対象画素として抽出し、
前記取得手段は、前記対象画素に対して前記定められた位置関係にある画素の前記事前変換画像データにおける階調値に基づいて、前記分割画素階調値を前記テーブルから取得し、
前記事前減色変換手段は、前記エッジ候補画素のうち前記対象画素でない画素の各々について、前記事前変換画像データにおける当該画素の階調値が第１階調値ならば当該階調値をａ階調における第１階調値に変換し、前記事前変換画像データにおける当該画素の階調値が第Ｎ階調値ならば当該階調値をａ階調における第ａ階調値に変換し、変換された階調値と当該画素をＭ分割した分割画素とを対応付けて前記事前減色画像データを生成する
ことを特徴とする請求項１に記載の制御装置。
【請求項３】
前記第３記憶手段は、前記階調情報として当該画素の階調値が画像の背景に対応するか否かを判別するための情報が対応付けられた前記テーブルを記憶し、
前記取得手段は、前記対象画素に対して前記定められた位置関係にある画素の階調値が画像の背景に対応するか否かを判別し、判別の結果に対応する前記分割画素階調値を前記テーブルから取得する
ことを特徴とする請求項１又は２に記載の制御装置。
【請求項４】
前記第３記憶手段は、前記一の画素の階調値が対応付けられた前記テーブルを記憶し、
前記取得手段は、前記対象画素の階調値に対応する前記分割画素階調値を前記テーブルから取得する
ことを特徴とする請求項３に記載の制御装置。
【請求項５】
前記第３記憶手段は、前記定められた位置関係にある画素に含まれる特定の複数の画素の階調値の大小関係が対応付けられた前記テーブルを記憶し、
前記取得手段は、前記対象画素に対して前記定められた位置関係にある画素に含まれる特定の複数の画素の階調値の大小関係に対応する前記分割画素階調値を前記テーブルから取得する
ことを特徴とする請求項３又は４に記載の制御装置。
【請求項６】
前記第１画像データで表される文字の大きさを特定する特定手段を有し、
前記特定手段によって特定された文字の大きさが閾値未満である場合に、前記事前減色変換手段による処理を実行しない
ことを特徴とする請求項１乃至５のいずれかに記載の制御装置。
【請求項７】
前記取得手段によって前記分割画素の各々に対応する分割画素階調値を取得することができなかった場合に、前記事前減色変換手段による処理を実行しない
ことを特徴とする請求項１乃至５のいずれかに記載の制御装置。
【請求項８】
請求項１乃至７のいずれかに記載の制御装置と、
前記変換後画像データに基づく画像を表示する表示手段と
を有することを特徴とする表示装置。
【請求項９】
請求項８に記載の表示装置を有することを特徴とする電子機器。
【請求項１０】
ａ階調（２＜ａ）のデータを２階調のデータに変換する減色処理に用いられるディザ値が２次元配置されたディザマトリクスを記憶する第１記憶手段と、
２次元配置された複数の画素の各々に対応付けてａ階調の第１画像データを記憶する第２記憶手段とを有する表示装置を制御する制御方法であって、
前記複数の画素からエッジの候補であるエッジ候補画素を抽出するエッジ候補画素抽出ステップと、
前記エッジ候補画素から、前記第１画像データにおける階調値が第ｂ階調値乃至第ｃ階調値（１＜ｃ＜ｂ＜ａ）である対象画素を抽出する対象画素抽出ステップと、
一の画素に対して定められた位置関係にある画素と、当該画素の階調値に関する階調情報と、当該一の画素をＭ分割（２≦Ｍ）した分割画素の各々と、当該分割画素の各々に割り当てられた２階調の分割画素階調値とが対応付けられたテーブルから、前記対象画素に対して前記定められた位置関係にある画素の階調値に基づいて、当該対象画素をＭ分割した分割画素の各々に対応する分割画素階調値を取得する取得ステップと、
前記対象画素の各々について、前記取得ステップにおいて取得された分割画素階調値をａ階調における第１階調値と第ａ階調値に変換し、変換された階調値と当該対象画素をＭ分割した分割画素の各々とを対応付け、前記エッジ候補画素のうち前記対象画素でない画素の各々について、第１階調値乃至第（ｃ−１）階調値に対応する画素の階調値を第１階調値に変換し、第（ｂ＋１）階調値乃至第ａ階調値に対応する画素の階調値を第ａ階調値に変換し、変換された階調値と当該画素をＭ分割した分割画素とを対応付けて事前減色画像データを生成する事前減色変換ステップと、
前記事前減色画像データを前記ディザマトリクスを用いた減色処理によって２階調に変換して変換後画像データを生成するディザ変換ステップと
を有することを特徴とする制御方法。
【発明の詳細な説明】
【技術分野】
【０００１】
本発明は、画像を示すａ階調のデータをｂ階調（ｂ＜ａ）のデータに変換する減色処理に関する。
【背景技術】
【０００２】
記憶性表示装置において、高画質化の一つの手法として、ハーフトーン処理を用いる技術が知られている。例えば特許文献１には、記憶性表示装置の一種であるＥＰＤ（電気泳動ディスプレイ）において、ハーフトーン処理された画像を表示する技術が記載されている。
【先行技術文献】
【特許文献】
【０００３】
【特許文献１】特表２０１０−５１５９２６号公報
【発明の概要】
【発明が解決しようとする課題】
【０００４】
ビットマップ画像に対してアンチエイリアス処理を施すと、文字等のエッジの部分の階調が中間階調に置き換えられることにより、エッジが滑らかに見えるようになる。ところが、アンチエイリアス処理が施された画像に対してディザマトリクスを用いた減色処理を施すと、中間階調の画素が異なる階調に変換されるので、減色処理前と比べてエッジの滑らかさが低下してしまう。
これに対して本発明は、アンチエイリアス処理が施された画像に対してディザマトリクスを用いた減色処理を施した場合のエッジの滑らかさの低下を抑制する技術を提供する。
【課題を解決するための手段】
【０００５】
本発明は、ａ階調（２＜ａ）のデータを２階調のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段と、一の画素に対して定められた位置関係にある画素と、当該画素の階調値に関する階調情報と、当該一の画素をＭ分割（２≦Ｍ）した分割画素の各々と、当該分割画素の各々に割り当てられた２階調の分割画素階調値とが対応付けられたテーブルを記憶する第３記憶手段と、前記複数の画素からエッジの候補であるエッジ候補画素を抽出するエッジ候補画素抽出手段と、前記エッジ候補画素から、前記第１画像データにおける階調値が第ｂ階調値乃至第ｃ階調値（１＜ｃ＜ｂ＜ａ）である対象画素を抽出する対象画素抽出手段と、前記対象画素に対して前記定められた位置関係にある画素の階調値に基づいて、当該対象画素をＭ分割した分割画素の各々に対応する分割画素階調値を前記テーブルから取得する取得手段と、前記対象画素の各々について、前記取得手段によって取得された分割画素階調値をａ階調における第１階調値と第ａ階調値に変換し、変換された階調値と当該対象画素をＭ分割した分割画素の各々とを対応付け、前記エッジ候補画素のうち前記対象画素でない画素の各々について、第１階調値乃至第（ｃ−１）階調値に対応する画素の階調値を第１階調値に変換し、第（ｂ＋１）階調値乃至第ａ階調値に対応する画素の階調値を第ａ階調値に変換し、変換された階調値と当該画素をＭ分割した分割画素とを対応付けて事前減色画像データを生成する事前減色変換手段と、前記事前減色画像データを前記ディザマトリクスを用いた減色処理によって２階調に変換して変換後画像データを生成するディザ変換手段とを有することを特徴とする制御装置を提供する。
この構成によれば、エッジ候補画素のうち中間階調の画素が分割されるとともに２階調に変換されるから、アンチエイリアス処理が施された画像に対してディザマトリクスを用いた減色処理を施した場合のエッジの滑らかさの低下を抑制することができる。
【０００６】
前記制御装置において、前記複数の画素から、画像の背景に対応しない非背景画素を抽出する非背景画素抽出手段と、ａ階調の各階調値を、第１階調値から第（ｃ−１）階調値までの第１範囲と、第（ｂ＋１）階調値から第ａ階調値までの第Ｎ範囲（３≦Ｎ）とを含む互いに重ならないＮ個の範囲に分別し、前記第１画像データにおける階調値が第ｎ範囲（ｎ＝１，２，・・・，Ｎ）に含まれる前記非背景画素の階調値をそれぞれＮ階調における第ｎ階調値に変換してＮ階調の事前変換画像データを生成する事前変換手段を有し、前記対象画素抽出手段は、前記エッジ候補画素から、前記事前変換画像データにおける階調値が第２階調値乃至第（Ｎ−１）階調値である画素を前記対象画素として抽出し、前記取得手段は、前記対象画素に対して前記定められた位置関係にある画素の前記事前変換画像データにおける階調値に基づいて、前記分割画素階調値を前記テーブルから取得し、前記事前減色変換手段は、前記エッジ候補画素のうち前記対象画素でない画素の各々について、前記事前変換画像データにおける当該画素の階調値が第１階調値ならば当該階調値をａ階調における第１階調値に変換し、前記事前変換画像データにおける当該画素の階調値が第Ｎ階調値ならば当該階調値をａ階調における第ａ階調値に変換し、変換された階調値と当該画素をＭ分割した分割画素とを対応付けて前記事前減色画像データを生成するようにしてもよい。
この構成によれば、非背景画素が抽出され、非背景画素の階調値がＮ階調に変換されるから、処理の効率を向上させることができる。
【０００７】
前記制御装置において、前記第３記憶手段は、前記階調情報として当該画素の階調値が画像の背景に対応するか否かを判別するための情報が対応付けられた前記テーブルを記憶し、前記取得手段は、前記対象画素に対して前記定められた位置関係にある画素の階調値が画像の背景に対応するか否かを判別し、判別の結果に対応する前記分割画素階調値を前記テーブルから取得するようにしてもよい。
この構成によれば、対象画素に対して定められた位置関係にある画素の階調値が画像の背景に対応するか否かの判別の結果に対応する分割画素階調値が取得されるから、エッジを滑らかに形成することができる。
【０００８】
前記制御装置において、前記第３記憶手段は、前記一の画素の階調値が対応付けられた前記テーブルを記憶し、前記取得手段は、前記対象画素の階調値に対応する前記分割画素階調値を前記テーブルから取得するようにしてもよい。
この構成によれば、対象画素の階調値に対応する分割画素階調値が取得されるから、元画像の階調を反映させたエッジを形成することができる。
【０００９】
前記制御装置において、前記第３記憶手段は、前記定められた位置関係にある画素に含まれる特定の複数の画素の階調値の大小関係が対応付けられた前記テーブルを記憶し、前記取得手段は、前記対象画素に対して前記定められた位置関係にある画素に含まれる特定の複数の画素の階調値の大小関係に対応する前記分割画素階調値を前記テーブルから取得するようにしてもよい。
この構成によれば、対象画素に対して定められた位置関係にある画素に含まれる特定の複数の画素の階調値の大小関係に対応する分割画素階調値が取得されるから、元画像の階調を反映させたエッジを形成することができる。
【００１０】
前記制御装置において、前記第１画像データで表される文字の大きさを特定する特定手段を有し、前記特定手段によって特定された文字の大きさが閾値未満である場合に、前記事前減色変換手段による処理を実行しないようにしてもよい、。
この構成によれば、文字が小さいために良好な結果が得られない状況を回避することができる。
【００１１】
前記制御装置において、前記取得手段によって前記分割画素の各々に対応する分割画素階調値を取得することができなかった場合に、前記事前減色変換手段による処理を実行しないようにしてもよい。
この構成によれば、対象画素に対応する分割画素階調値がテーブルにない場合でも、処理を続行することができる。
【００１２】
また、本発明は、前記制御装置と、前記変換後画像データに基づく画像を表示する表示手段とを有することを特徴とする表示装置を提供する。
【００１３】
また、本発明は、前記表示装置を有することを特徴とする電子機器を提供する。
【００１４】
また、本発明は、ａ階調（２＜ａ）のデータを２階調のデータに変換する減色処理に用いられるディザ値が２次元配置されたディザマトリクスを記憶する第１記憶手段と、２次元配置された複数の画素の各々に対応付けてａ階調の第１画像データを記憶する第２記憶手段とを有する表示装置を制御する制御方法であって、前記複数の画素からエッジの候補であるエッジ候補画素を抽出するエッジ候補画素抽出ステップと、前記エッジ候補画素から、前記第１画像データにおける階調値が第ｂ階調値乃至第ｃ階調値（１＜ｃ＜ｂ＜ａ）である対象画素を抽出する対象画素抽出ステップと、一の画素に対して定められた位置関係にある画素と、当該画素の階調値に関する階調情報と、当該一の画素をＭ分割（２≦Ｍ）した分割画素の各々と、当該分割画素の各々に割り当てられた２階調の分割画素階調値とが対応付けられたテーブルから、前記対象画素に対して前記定められた位置関係にある画素の階調値に基づいて、当該対象画素をＭ分割した分割画素の各々に対応する分割画素階調値を取得する取得ステップと、前記対象画素の各々について、前記取得ステップにおいて取得された分割画素階調値をａ階調における第１階調値と第ａ階調値に変換し、変換された階調値と当該対象画素をＭ分割した分割画素の各々とを対応付け、前記エッジ候補画素のうち前記対象画素でない画素の各々について、第１階調値乃至第（ｃ−１）階調値に対応する画素の階調値を第１階調値に変換し、第（ｂ＋１）階調値乃至第ａ階調値に対応する画素の階調値を第ａ階調値に変換し、変換された階調値と当該画素をＭ分割した分割画素とを対応付けて事前減色画像データを生成する事前減色変換ステップと、前記事前減色画像データを前記ディザマトリクスを用いた減色処理によって２階調に変換して変換後画像データを生成するディザ変換ステップとを有することを特徴とする制御方法を提供する。
前記表示装置、前記電子機器及び前記制御方法によれば、エッジ候補画素のうち中間階調の画素が分割されるとともに２階調に変換されるから、アンチエイリアス処理が施された画像に対してディザマトリクスを用いた減色処理を施した場合のエッジの滑らかさの低下を抑制することができる。
【図面の簡単な説明】
【００１５】
【図１】電子機器１のハードウェア構成を示すブロック図。
【図２】表示部１０の断面構造を示す模式図。
【図３】表示部１０の回路の構成を示す図。
【図４】画素１４の等価回路を示す図。
【図５】コントローラー２０の機能構成を示す図。
【図６】ディザマトリクスを用いた減色処理を説明する図。
【図７】画像のエッジの部分にディザ処理を施す過程を示す図。
【図８】アンチエイリアス処理が施された画像にディザ処理を施す過程を示す図。
【図９】テーブルの記憶内容を示す図。
【図１０】実施形態の動作を示す流れ図。
【図１１】第１画像データに対応する画像を示す図。
【図１２】事前変換画像データに対応する画像を示す図。
【図１３】事前減色画像データに対応する画像を示す図。
【図１４】変換後画像データに対応する画像を示す図。
【図１５】元画像にディザ処理を施した画像を示す図。
【図１６】第１画像データに対応する画像を示す図。
【図１７】事前変換画像データに対応する画像を示す図。
【図１８】事前減色画像データに対応する画像を示す図。
【図１９】変換後画像データに対応する画像を示す図。
【図２０】元画像にディザ処理を施した画像を示す図。
【発明を実施するための形態】
【００１６】
＜実施形態の構成＞
図１は、電子機器１のハードウェア構成を示すブロック図である。電子機器１は、画像を表示する表示装置である。この例で、電子機器１は、電子書籍（文書の一例）を閲覧するための装置、いわゆる電子ブックリーダーである。電子機器１は、表示部１０と、コントローラー２０と、ＣＰＵ３０と、ＶＲＡＭ４０と、ＲＡＭ５０と、記憶部６０と、入力部７０とを有する。表示部１０は、画像を表示する表示素子を含むディスプレイパネルを有する。この例で、表示素子は、電圧の印加等によりエネルギーを与えなくても表示を保持するメモリー性の表示素子として、電気泳動粒子を用いた表示素子を有する。この表示素子により、表示部１０は、モノクロ複数階調（この例では白黒２階調）の像を表示する。コントローラー２０は、表示部１０を制御する制御装置である。ＣＰＵ３０は、電子機器１の各部を制御する装置である。ＣＰＵ３０は、ＲＡＭ５０をワークエリアとして、ＲＯＭ（図示略）または記憶部６０に記憶されているプログラムを実行する。ＶＲＡＭ４０は、表示部１０に表示させる画像を示す画像データを記憶するメモリーである。ＲＡＭ５０は、データを記憶する揮発性のメモリーである。記憶部６０は、電子書籍のデータ（書籍データ）に加え、各種のデータおよびアプリケーションプログラムを記憶する記憶装置であり、ＨＤＤまたはフラッシュメモリーなど不揮発性のメモリーを有する。記憶部６０は、複数の電子書籍のデータを記憶することができる。入力部７０は、ユーザーの指示を入力するための入力装置であり、例えば、タッチスクリーン、キーパッド、またはボタンを含む。以上の要素は、バスにより接続されている。
【００１７】
図２は、表示部１０の断面構造を示す模式図である。表示部１０は、第１基板１１と、電気泳動層１２と、第２基板１３とを有する。第１基板１１および第２基板１３は、電気泳動層１２を挟持するための基板である。
【００１８】
第１基板１１は、基板１１１と、接着層１１２と、回路層１１３とを有する。基板１１１は、絶縁性及び可撓性を有する材料、例えばポリカーボネートで形成されている。基板１１１は、軽量性、可撓性、弾性及び絶縁性を有するものであれば、ポリカーボネート以外の樹脂材料により形成されてもよい。別の例で、基板１１１は、可撓性を有しないガラスにより形成されていてもよい。接着層１１２は、基板１１１と回路層１１３とを接着する層である。回路層１１３は、電気泳動層１２を駆動するための回路を有する層である。回路層１１３は、画素電極１１４を有する。
【００１９】
電気泳動層１２は、マイクロカプセル１２１と、バインダー１２２とを有する。マイクロカプセル１２１は、バインダー１２２によって固定されている。バインダー１２２としては、マイクロカプセル１２１との親和性が良好で電極との密着性が優れ、かつ絶縁性を有する材料が用いられる。マイクロカプセル１２１は、内部に分散媒および電気泳動粒子が格納されたカプセルである。マイクロカプセル１２１は、柔軟性を有する材料、例えばアラビアゴム・ゼラチン系の化合物またはウレタン系の化合物等が用いられる。なお、マイクロカプセル１２１と画素電極１１４との間には、接着剤により形成された接着層が設けられてもよい。
【００２０】
分散媒は、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、またはカルボン酸塩である。別の例で、分散媒は、その他の油類であってもよい。また、分散媒は、これらの物質が混合されたものでもよい。さらに別の例で、分散媒には、界面活性剤などが配合されてもよい。
【００２１】
電気泳動粒子は、分散媒中で電界によって移動する性質を有する粒子（高分子またはコロイド）である。本実施形態においては白の電気泳動粒子と黒の電気泳動粒子がマイクロカプセル１２１内に格納されている。黒の電気泳動粒子は、例えば、アニリンブラックやカーボンブラック等の黒色顔料を含む粒子であり、本実施形態では正に帯電されている。白の電気泳動粒子は、例えば、二酸化チタンや酸化アルミニウム等の白色顔料を含む粒子であり、本実施形態では負に帯電されている。
【００２２】
第２基板１３は、共通電極１３１と、フィルム１３２とを有する。フィルム１３２は、電気泳動層１２の封止および保護をするものである。フィルム１３２は、透明で絶縁性を有する材料、例えばポリエチレンテレフタレートにより形成される。共通電極１３１は、透明で導電性を有する材料、例えば酸化インジウムスズ（Indium Tin Oxide、ＩＴＯ）により形成される。
【００２３】
図３は、表示部１０の回路の構成を示す図である。表示部１０は、ｍ本の走査線１１５と、ｎ本のデータ線１１６と、ｍ×ｎ個の画素１４と、走査線駆動回路１６と、データ線駆動回路１７とを有する。走査線駆動回路１６およびデータ線駆動回路１７は、コントローラー２０により制御される。走査線１１５は、行方向（ｘ方向）に沿って配置されており、走査信号を伝達する。走査信号は、ｍ本の走査線１１５の中から一の走査線１１５を順次排他的に選択する信号である。データ線１１６は、列方向（ｙ方向）に沿って配置されており、データ信号を伝達する。データ信号は、各画素の階調を示す信号である。走査線１１５とデータ線１１６とは絶縁されている。画素１４は、走査線１１５およびデータ線１１６の交差に対応して設けられており、データ信号に応じた階調を示す。なお、複数の走査線１１５のうち一の走査線１１５を他と区別する必要があるときは、第１行、第２行、・・・、第ｍ行の走査線１１５という。データ線１１６についても同様である。ｍ×
ｎ個の画素１４により、表示領域１５が形成される。表示領域１５のうち、第ｉ行第ｊ列の画素１４を区別するときは、画素（ｊ，ｉ）という。階調値等、画素１４と一対一に対応するパラメーターについても同様である。
【００２４】
走査線駆動回路１６は、ｍ本の走査線１１５の中から、一の走査線１１５を順次排他的に選択するための走査信号Ｙを出力する。走査信号Ｙは、順次排他的にＨ（High）レベルとなる信号である。データ線駆動回路１７は、データ信号Ｘを出力する。データ信号Ｘは、画素の階調値に応じたデータ電圧を示す信号である。データ線駆動回路１７は、走査信号により選択されている行の画素に対応するデータ電圧を示すデータ信号を出力する。走査線駆動回路１６およびデータ線駆動回路１７は、コントローラー２０により制御される。
【００２５】
図４は、画素１４の等価回路を示す図である。画素１４は、トランジスター１４１と、容量１４２と、画素電極１１４と、電気泳動層１２と、共通電極１３１とを有する。トランジスター１４１は、画素電極１１４へのデータの書き込みを制御するスイッチング素子、例えばｎチャネルのＴＦＴ（Thin Film Transistor）である。トランジスター１４１のゲート、ソース、およびドレインはそれぞれ、走査線１１５、データ線１１６、および画素電極１１４に接続されている。Ｌ（Low）レベルの走査信号（非選択信号）がゲートに入力されているとき、トランジスター１４１のソースとドレインは絶縁する。Ｈレベルの走査信号（選択信号）がゲートに入力されると、トランジスター１４１のソースとドレインは導通し、画素電極１１４にデータ電圧が書き込まれる。また、トランジスター１４１のドレインには容量１４２も接続されている。容量１４２の他端は、電位Ｖｃｏｍの容量配線１１７に接続されている。容量１４２は、データ電圧に応じた電荷を保持する。画素電極１１４は、画素１４に一つずつ設けられており、共通電極１３１と対向している。共通電極１３１は、すべての画素１４に共通であり、共通電極用配線１１８を介して電位ＥＰｃｏｍが与えられる。電位ＥＰｃｏｍは、電位Ｖｃｏｍと同電位としてもよい。画素電極１１４と共通電極１３１との間には電気泳動層１２が挟まれている。画素電極１１４、電気泳動層１２、および共通電極１３１により、電気泳動素子１４３が形成される。電気泳動層１２には、画素電極１１４と共通電極１３１との電位差に相当する電圧が印加される。マイクロカプセル１２１において、電気泳動層１２に印加されている電圧に応じて電気泳動粒子が移動し、階調表現をする。共通電極１３１の電位ＥＰｃｏｍに対して画素電極１１４の電位が正（例えば＋１５Ｖ）である場合、負に帯電している白の電気泳動粒子が画素電極１１４側に移動し、正に帯電している黒の電気泳動粒子が共通電極１３１側に移動する。このとき第２基板１３側から表示部１０を見ると、画素が黒に見える。共通電極１３１の電位ＥＰｃｏｍに対して画素電極１１４の電位が負（例えば−１５Ｖ）である場合、正に帯電している黒の電気泳動粒子が画素電極１１４側に移動し、負に帯電している白の電気泳動粒子が共通電極１３１側に移動する。このとき、画素が白に見える。
【００２６】
なお、以下の説明においては、走査線駆動回路１６が第１行の走査線を選択してから第ｍ行の走査線の選択が終了するまでの期間を「フレーム期間」または単に「フレーム」という。各走査線１１５は、１フレームに一回ずつ選択され、各画素１４には１フレームに一回ずつデータ信号が供給される。
【００２７】
図５は、コントローラー２０の機能構成を示す図である。
第１記憶手段２０１は、ａ階調（２＜ａ）のデータを２階調のデータに変換する減色処理に用いられるディザ値が２次元配置されたディザマトリクスを記憶する。本実施形態では、ａ＝１６とする。ディザマトリクスの具体例については、後述する。
【００２８】
第２記憶手段２０２は、２次元配置された複数の画素の各々に対応付けてａ階調の第１画像データを記憶する。本実施形態では、第１画像データの階調値は０から１５までの整数値のいずれかであり、第１階調値を「１５」、第１６階調値を「０」とし、それぞれが白色の画素（以下、白画素という。）、黒色の画素（以下、黒画素という。）に対応する。画像の背景は、白画素で表される。
【００２９】
非背景画素抽出手段２０４は、前記複数の画素から、画像の背景に対応しない非背景画素を抽出する。本実施形態では、白画素以外の画素、すなわち、階調値が「１４」乃至「０」の画素を非背景画素とする。
【００３０】
事前変換手段２０５は、ａ階調の各階調値を、第１階調値から第（ｃ−１）階調値までの第１範囲と、第（ｂ＋１）階調値から第ａ階調値までの第Ｎ範囲（３≦Ｎ）とを含む互いに重ならないＮ個の範囲に分別し、第１画像データにおける階調値が第ｎ範囲（ｎ＝１，２，・・・，Ｎ）に含まれる非背景画素の階調値をそれぞれＮ階調における第ｎ階調値に変換してＮ階調の事前変換画像データを生成する。本実施形態では、Ｎ＝４である。具体的には、階調値「１５」乃至「１３」が第１範囲に分別されて４階調における第１階調値「３」（白）に変換され、以下同様に、階調値「１２」乃至「８」が第２範囲に分別されて第２階調値「２」（ライトグレー）に変換され、階調値「７」乃至「３」が第３範囲に分別されて第３階調値「１」（ダークグレー）に変換され、階調値「２」乃至「０」が第４範囲に分別されて第４階調値「０」（黒）に変換され、変換後の階調値を有する事前変換画像データが生成される。
【００３１】
エッジ候補画素抽出手段２０６は、前記複数の画素からエッジの候補であるエッジ候補画素を抽出する。ここで「エッジ」とは、背景に相当する階調値以外の階調値の表示を行っている画素のうち、当該画素に隣り合う画素の少なくとも一部（又は当該画素の近傍の画素の少なくとも一部）が、背景に相当する階調値の表示となっている画素をいう。また、「エッジの候補」とは、減色処理の結果、エッジとなる可能性を有している画素を言う。本実施形態では、画素の周囲８近傍（非背景画素の上、下、左、右、左上、左下、右上、右下で非背景画素に隣接する画素）のいずれかの画素が背景に相当する階調値（白画素）である場合に、当該画素がエッジ候補画素として抽出される。
【００３２】
対象画素抽出手段２０７は、前記エッジ候補画素から、第１画像データにおける階調値が第ｂ階調値乃至第ｃ階調値（１＜ｃ＜ｂ＜ａ）である対象画素を抽出する。具体的には、対象画素抽出手段２０７は、エッジ候補画素から、事前変換画像データにおける階調値が第２階調値乃至第（Ｎ−１）階調値である画素を前記対象画素として抽出する。この例では、エッジ候補画素から、事前変換画像データにおける階調値が第２階調値（ライトグレー）である画素と、第３階調値（ダークグレー）である画素が対象画素として抽出される。
【００３３】
第３記憶手段２０３は、一の画素に対して定められた位置関係にある画素と、当該画素の階調値に関する階調情報と、当該一の画素をＭ分割（２≦Ｍ）した分割画素の各々と、当該分割画素の各々に割り当てられた２階調の分割画素階調値とが対応付けられたテーブルを記憶する。
取得手段２０８は、対象画素に対して前記定められた位置関係にある画素の階調値に基づいて、対象画素をＭ分割した分割画素の各々に対応する分割画素階調値をテーブルから取得する。
【００３４】
図９は、テーブルの記憶内容を示す図である。この例では、一の画素と、当該一の画素の周囲８近傍の画素（一の画素の上、下、左、右、左上、左下、右上、右下で一の画素に隣接する画素）が示されている。また、一の画素は縦方向と横方向にそれぞれ２分割されて合計４つの画素（以下、分割画素という。）に分割されており、各分割画素には、分割画素階調値として、画像の背景に対応する第１階調値「１」（白）又は画像の背景に対応しない第２階調値「０」（黒）が割り当てられている。周囲８近傍の画素のうち、斜線を施した画素は、白画素でない画素である。つまり、このテーブルには、周囲８近傍の画素が画像の背景に対応するか否かを判別するための階調情報が対応付けられている。取得手段２０８は、対象画素の周囲８近傍の画素の階調値が画像の背景に対応するか否かを事前変換画像データに基づいて判別し、判別の結果に対応する分割画素階調値をテーブルから取得する。
【００３５】
図９（ａ）、（ｂ）は、いずれも、周囲８近傍の画素のうち、画素（１，１）、（２，１）、（３，１）、（３，２）、（３，３）が白画素でない場合を示している。図９（ａ）は、一の画素が４階調の第２階調値（ライトグレー）である場合に対応し、図９（ｂ）は、一の画素が４階調の第３階調値（ダークグレー）である場合に対応する。つまり、このテーブルには、一の画素の階調値として４階調の第２階調値乃至第３階調値の各々が対応付けられている。取得手段２０８は、対象画素の事前変換画像データにおける階調値に対応する分割画素階調値をテーブルから取得する。この例では、対象画素の事前変換画像データにおける階調値が第２階調値ならば、図９（ａ）に示す分割画素階調値が取得され、対象画素の事前変換画像データにおける階調値が第３階調値ならば、図９（ｂ）に示す分割画素階調値が取得される。このように、本実施形態では、対象画素の階調が黒に近いほど、黒を割り当てられる分割画素の数が多くなる。また、黒を割り当てる分割画素の数が３以下である場合には、白画素でない画素に隣接した分割画素を優先して黒が割り当てられる。
【００３６】
図９（ｃ）乃至（ｆ）は、いずれも、周囲８近傍の画素のうち、画素（１，１）、（２，１）、（３，１）、（１，３）、（２，３）、（３，３）が白画素でない場合を示しているが、周囲８近傍の画素のうち、一の画素の左上、左下、右上、右下で一の画素に隣接する画素の階調値の大小関係が互いに異なっている。具体的には、図９（ｃ）は、画素（１，１）と（１，３）が４階調の第３階調値（ダークグレー）であり、画素（３，１）と（３，３）が４階調の第２階調値（ライトグレー）である場合に対応する。図９（ｄ）は、画素（１，１）と（１，３）が４階調の第２階調値（ライトグレー）であり、画素（３，１）と（３，３）が４階調の第３階調値（ダークグレー）である場合に対応する。図９（ｅ）は、画素（１，１）と（３，３）が４階調の第２階調値（ライトグレー）であり、画素（３，１）と（１，３）が４階調の第３階調値（ダークグレー）である場合に対応する。図９（ｆ）は、画素（１，１）と（３，３）が４階調の第３階調値（ダークグレー）であり、画素（３，１）と（１，３）が４階調の第２階調値（ライトグレー）である場合に対応する。つまり、このテーブルは、周囲８近傍の画素のうち、一の画素の左上、左下、右上、右下で一の画素に隣接する画素の階調値の大小関係が対応付けられている。取得手段２０８は、対象画素の左上、左下、右上、右下で対象画素に隣接する画素の階調値の大小関係に対応する分割画素階調値をテーブルから取得する。例えば、対象画素の左上と左下の画素が右上と右下の画素よりも黒に近いならば、図９（ｃ）に示す分割画素階調値が取得される。
【００３７】
なお、分割画素階調値を取得するためのテーブルは、定められたアルゴリズムに従って生成されたテーブルを用いてもよいし、人間の判断により試行錯誤的に作成されたテーブルを用いてもよい。また、例示したテーブルの内容は一例に過ぎず、実際には、一の画素の周囲８近傍の画素の各々が白画素か否かの違い（２の８乗とおり）と、一の画素がライトグレーかダークグレーかの違い（２とおり）と、一の画素の左上、左下、右上、右下で一の画素に隣接する画素の階調値の大小関係（少なくとも４の階乗）とのすべての組み合わせに対して分割画素階調値が定められている。
【００３８】
事前減色変換手段２０９は、対象画素の各々について、取得手段２０８によって取得された分割画素階調値をａ階調における第１階調値と第ａ階調値に変換し、変換された階調値と当該対象画素をＭ分割した分割画素の各々とを対応付ける。この例では、分割画素階調値として取得された第１階調値「１」（白）と第２階調値「０」（黒）がそれぞれ１６階調における第１階調値「１５」（白）と第１６階調値「０」（黒）に変換される。
【００３９】
また、事前減色変換手段２０９は、エッジ候補画素のうち対象画素でない画素の各々について、第１階調値乃至第（ｃ−１）階調値に対応する画素の階調値を第１階調値に変換し、第（ｂ＋１）階調値乃至第ａ階調値に対応する画素の階調値を第ａ階調値に変換し、変換された階調値と当該画素をＭ分割した分割画素とを対応付けて事前減色画像データを生成する。具体的には、事前減色変換手段２０９は、エッジ候補画素のうち対象画素でない画素の各々について、事前変換画像データにおける当該画素の階調値が第１階調値ならば当該階調値をａ階調における第１階調値に変換し、事前変換画像データにおける当該画素の階調値が第Ｎ階調値ならば当該階調値をａ階調における第ａ階調値に変換し、変換された階調値と当該画素をＭ分割した分割画素とを対応付けて事前減色画像データを生成する。この例では、当該画素の事前変換画像データにおける階調値が第１階調値「３」（白）ならば、当該階調値が１６階調における第１階調値「１５」（白）に変換され、当該画素の事前変換画像データにおける階調値が第４階調値「０」（黒）ならば、当該階調値が１６階調における第１６階調値「０」（黒）に変換される。
【００４０】
また、事前減色変換手段２０９は、第２記憶手段２０２において第１画像データが対応付けられている全画素のうち、エッジ候補画素として抽出されなかった画素の各々について、当該画素の第１画像データにおける階調値と、当該画素をＭ分割した分割画素とを対応付けて事前減色画像データを生成する。
以上のようにして、事前減色画像データが生成される。
【００４１】
ディザ変換手段２１０は、事前減色画像データをディザマトリクスを用いた減色処理によって２階調に変換して変換後画像データを生成する。
図６は、ディザマトリクスを用いた減色処理を説明する図である。減色処理とは、ａ階調のデータを、ｂ階調のデータ（ａおよびｂは、ａ＞ｂを満たす２以上の自然数）に変換する処理をいう。ここでは、１６階調で表現された元画像のデータを、減色処理により２階調のデータに変換する例を説明する。図６（ａ）は、元データである画像データを例示する図である。この画像は、４行４列の画素を有する。各画素の階調は１６階調（０〜１５）で表現される。ここでは、すべての画素の階調値が「８」である画像が示されている。図６（ｂ）は、ディザマトリクスを例示する図である。図６（ｂ）は、いわゆるベイヤー（Bayer）型のディザマトリクスを示している。ディザマトリクスにおいて、基本的には、階調値に相当する数値（０〜１５の１６個の数値。以下「ディザ値」という）が、ある規則に従って配置されている。なお、図６（ｂ）の例では、ディザ値「０」は使用されておらず、１〜１５の１５個の数値が用いられている。このため、中間階調に相当するディザ値「８」がディザマトリクスにおいて２回登場している。
【００４２】
ディザマトリクスを用いた２値化処理は以下のように行われる。まず、元データの階調値と、ディザマトリクスのディザ値とが加算される。加算は、対応する画素およびセルについて行われる。例えば、元データにおける第ｉ行第ｊ列の画素の階調値と、ディザマトリクスにおける第ｉ行第ｊ列のセルのディザ値とが加算される。図６（ｃ）は、両者が加算された状態を示している。次に、この加算値に対し、しきい値を基準として２値化が行われる。しきい値としては、階調数に応じた数値、この例では「１６」が用いられる。すなわち、加算値が１６未満である画素の階調値は「０」に変換され、加算値が１６以上である画素の階調値は「１」に変換される。図６（ｄ）は、２値化後の状態を示している。図６（ｄ）において、白塗りの画素（白画素）は階調値「１」に相当し、黒塗りの画素（黒画素）は階調値「０」に相当する。なお、ディザマトリクスにおいてディザ値「０」が用いられていない理由は、階調値「１５」の画素については、加算値が必ずしきい値以上となるようにするためである。仮に、階調値「１５」の画素にディザ値「０」が加算された場合を考えると、加算値は「１５」でありしきい値以上とならず、最大階調値を有する画素の階調が「０」に変換される可能性が生じてしまう。このような事態を避けるため、ディザ値「０」は用いられていない。
【００４３】
図７は、画像のエッジの部分にディザ処理を施す過程を示す図である。図７（ａ）は、ディザ処理前の元画像を示す図である。図７（ｂ）は、元画像に対応する元画像データを示す図である。図７（ｃ）は、元画像データに図６（ｂ）のディザ値が加算された値を示す図である。図７（ｄ）は、ディザ処理後の画像を示す図である。このように、白画素と黒画素のいずれかで表された画像は、ディザ処理を経てもエッジの形状が変わらない。
【００４４】
図８は、アンチエイリアス処理が施された画像にディザ処理を施す過程を示す図である。図８（ａ）は、図７（ａ）と同じ元画像である。
図８（ｂ）は、元画像にアンチエイリアス処理が施された場合の画像を示す図である。このように、アンチエイリアス処理によってエッジの部分の画素が中間階調に変換されるので、変換前と比べてエッジが滑らかに見えるようになる。なお、本実施形態では、アンチエイリアス処理の具体的な手法は問わない。
図８（ｃ）は、図８（ｂ）に示す画像に対応する画像データを示す図である。この例では、エッジに相当する階調値「０」または「１５」の画素の階調値が「４」、「８」、「１２」のいずれかに変換されている。
【００４５】
図８（ｄ）は、図８（ｃ）に示す画像データにディザ値が加算された後の値を示す図である。図８（ｅ）は、元画像にアンチエイリアス処理に続いてディザ処理が施された場合の画像、すなわち、図８（ｄ）に示す画素のうち、値が１６以上である画素を白画素に、値が１６未満である画素を黒画素に変換したものである。同図では、元画像において白画素であった画素（２，３）と画素（３，３）が黒画素に変換されている。このように、アンチエイリアス処理後の画像にディザ処理を施すと、エッジの滑らかさが低下するとともに、アンチエイリアス処理前の元画像よりもエッジの形状が乱れてしまうことがあり得る。
【００４６】
＜実施形態の動作＞
図１０は、本実施形態の動作を示す流れ図である。
ステップＳ１０１において、非背景画素抽出手段２０４は、第２記憶手段２０２に記憶されている第１画像データを読み出し、非背景画素を抽出する。第１画像データの階調値は０から１５までの整数値のいずれかであり、第１階調値を「１５」、第１６階調値を「０」とし、それぞれが白画素、黒画素に対応する。画像の背景は、白画素で表される。従って、非背景画素抽出手段２０４は、階調値が「１４」乃至「０」である画素を非背景画素として抽出する。
【００４７】
図１１は、第１画像データに対応する画像（元画像）を示す図である。この図は、ひらがなの「あ」に対してアンチエイリアス処理を施した例を示している。白で表示されている画素が背景画素であり、斜線を施した画素が非背景画素である。非背景画素の中の数字は、階調値である。ここでは、図示の便宜上、階調値の表示によって画素の階調を示しているが、実際は、階調値が大きくなるにつれて黒から白に近づくグレースケールである。背景に対応する第１階調値「１５」は、表示が省略されている。第１画像データは１６階調であるが、この例では、階調値「１４」乃至「３」によってひらがなの「あ」が構成されており、階調値「２」乃至「０」は使用されていない。
【００４８】
ステップＳ１０２において、事前変換手段２０５は、非背景画素の階調値を４階調に変換した事前変換画像データを生成する。具体的には、１６階調における階調値「１４」乃至「１３」が第１範囲に分別されて４階調における第１階調値「３」（白）に変換され、以下同様に、階調値「１２」乃至「８」が第２範囲に分別されて第２階調値「２」（ライトグレー）に変換され、階調値「７」乃至「３」が第３範囲に分別されて第３階調値「１」（ダークグレー）に変換され、階調値「２」乃至「０」が第４範囲に分別されて第４階調値「０」（黒）に変換され、変換後の階調値を有する事前変換画像データが生成される。
【００４９】
図１２は、事前変換画像データに対応する画像を示す図である。この例では、第１画像データにおいて階調値「２」乃至「０」が使用されていないので、４階調の第４階調値「０」（黒）は存在しない。なお、第１画像データにおいて背景に対応する第１階調値「１５」は事前変換手段２０５の処理の対象とされないので、事前変換画像データにおいても「１５」のままであるが、図示は省略されている。
【００５０】
ステップＳ１０３において、エッジ候補画素抽出手段２０６は、非背景画素から画素を選択する。具体的には、エッジ候補画素抽出手段２０６が、ｉ＝１からｉ＝ｍまで、順に１行ずつ走査線を選択し、走査線毎に、ｊ＝１からｊ＝ｎまで、順に１列ずつデータ線を選択することにより、画素（ｊ,ｉ）を選択する。
【００５１】
ステップＳ１０４において、エッジ候補画素抽出手段２０６は、エッジ候補画素を抽出する。具体的には、エッジ候補画素抽出手段２０６が、ステップＳ１０３で選択された画素が非背景画素であるか否かを事前変換画像データに基づいて判定し、当該画素が非背景画素であるならば、当該画素の周囲８近傍に白画素が存在するか否かを事前変換画像データに基づいて判定し、周囲８近傍に白画素が存在するならば、当該画素がエッジ候補画素であると判定し（ステップＳ１０４：ＹＥＳ）、ステップＳ１０５に進む。当該画素がエッジ候補画素でない場合（ステップＳ１０４：ＮＯ）には、ステップＳ１０８に進む。図１２の例では、画素（６，９）を除くすべての非背景画素がエッジ候補画素であると判定される。
【００５２】
ステップＳ１０５において、対象画素抽出手段２０７は、対象画素を抽出する。具体的には、対象画素抽出手段２０７は、エッジ候補画素の事前変換画像データにおける階調値が第２階調値（ライトグレー）又は第３階調値（ダークグレー）であるならば、当該画素が対象画素であると判定し（ステップＳ１０５：ＹＥＳ）、ステップＳ１０６に進む。当該画素が対象画素でない場合（ステップＳ１０５：ＮＯ）には、ステップＳ１０７に進む。図１２の例では、エッジ候補画素のうち階調値が「２」又は「１」の画素が対象画素であると判定される。
【００５３】
ステップＳ１０６において、取得手段２０８は、分割画素階調値を取得する。具体的には、取得手段２０８は、対象画素の周囲８近傍の画素の各々について白画素か否かを判別し、周囲８近傍の画素のうち対象画素の左上、左下、右上、右下の画素の階調値の大きさの順番を特定し、対象画素が第２階調値（ライトグレー）と第３階調値（ダークグレー）のいずれであるかを特定し、これらの判別及び特定の結果に対応する分割画素階調値を第３記憶手段に記憶されているテーブルから取得する。そして、事前減色変換手段２０９が、分割画素階調値に含まれる第１階調値（白）と第２階調値（黒）をそれぞれ１６階調における第１階調値（白）と第１６階調値（白）に変換し、変換された階調値と、対象画素を４分割した分割画素とを対応付ける。
【００５４】
ステップＳ１０７において、事前減色変換手段２０９は、ステップＳ１０５で対象画素と判定されなかったエッジ候補画素の事前変換画像データにおける階調値が第１階調値（白）ならば、当該階調値を１６階調における第１階調値（白）に変換し、当該階調値が第４階調値（黒）ならば、当該階調値を１６階調における第１６階調値（黒）に変換し、変換された階調値と、当該画素を４分割した分割画素とを対応付ける。
【００５５】
ステップＳ１０８において、事前減色変換手段２０９は、ステップＳ１０４でエッジ対象画素と判定されなかった画素の第１画像データにおける階調値と、当該画素を４分割した分割画素とを対応付ける。
以上のようにして事前減色画像データが生成される。
【００５６】
図１３は、事前減色画像データに対応する画像を示す図である。同図において、太線は、図１１、図１２における画素の境界線に対応し、細線は、分割画素の境界線を示す。事前減色画像データは１６階調のデータであり、白画素が第１階調値「１５」に対応し、黒画素が第１６階調値「０」に対応する。対象画素（図１２においてエッジ候補画素のうち階調値が「２」又は「１」の画素）を４分割した分割画素に対して、分割画素階調値（第１階調値「１５」又は第２階調値「０」）が対応付けられている。対象画素と判定されなかったエッジ候補画素（図１２においてエッジ候補画素のうち階調値が「３」の画素）を４分割した分割画素に対して、第１階調値「１５」が対応付けられている。エッジ候補画素と判定されなかった画素（６，９）には、第１画像データにおける階調値「３」が対応付けられている。また、背景に対応する画素もエッジ候補画素ではないので、第１画像データにおける階調値「１５」が対応付けられている。
【００５７】
ステップＳ１０９において、エッジ候補画素抽出手段２０６は、事前変換画像データに含まれる全画素に対してステップＳ１０３乃至１０８の処理が完了したか否かを判定し、完了したならば（ステップＳ１０９：ＹＥＳ）、ステップＳ１１０に進み、完了していないならば（ステップＳ１０９：ＮＯ）、ステップＳ１０３に戻り、次の画素を選択する。
【００５８】
ステップＳ１１０において、ディザ変換手段２１０は、事前減色画像データに対してディザ処理を施して変換後画像データを生成する。
【００５９】
図１４は、変換後画像データに対応する画像を示す図である。図１５は、元画像に対応する第１画像データ（図１１参照）に対してディザ処理を施した画像を示す図である。図１５では、黒画素と白画素が市松模様状に現れて画素の連続性が低下するため、文字の骨格が不明瞭になっており、エッジの判別が困難である。これに対して、図１４では、図１５と比べて文字の骨格もエッジも明瞭である。本実施形態は、ディザ処理後の画像は２値で表されるため、エッジの形状が階段状になることは避けられないものの、元画像にディザ処理を施した場合と比べて、文字の骨格が明瞭に再現されるため、エッジの滑らかさにおいても優れている。
【００６０】
次に、別の文字の例として、漢字の「漢」に本実施形態の処理を施した例を示す。
図１６は、アンチエイリアス処理を施した元画像（第１画像データに対応する画像）を示す図である。図１７は、非背景画素の階調値を４階調に変換した画像（事前変換画像データに対応する画像）を示す図である。図１８は、対象画素に分割画像階調値を対応付けた画像（事前減色画像データに対応する画像）を示す図である。図１９は、事前減色画像データにディザ処理を施した画像（変換後画像データに対応する画像）を示す図である。図２０は、元画像にディザ処理を施した画像を示す図である。この例では、非背景画素のうち文字の中央部に位置するいくつかの画素がエッジ候補画素ではないため、図１８に示すように、これらの画素に第１画像データが対応付けられる。従って、図１９に示すように、文字の中央部で黒画素と白画素が交互に現れる。しかし、エッジ候補画素は画素の連続性が保たれるので、元画像にディザ処理を施した場合と比べて、文字の骨格が明瞭に再現され、エッジの滑らかさも優れている。
【００６１】
このように、本実施形態によれば、アンチエイリアス処理が施された画像に対してディザマトリクスを用いた減色処理を施した場合のエッジの滑らかさの低下を抑制することができる。
【００６２】
＜変形例＞
上記の実施形態を次のように変形してもよい。また、実施形態と変形例とを組み合わせてもよい。また、複数の変形例を組み合わせてもよい。
【００６３】
＜変形例１＞
第１画像データで表される文字の大きさが閾値未満である場合に、当該文字を構成する画素の各々については事前減色変換手段２０９による処理を行わないようにしてもよい。例えば、コントローラー２０が、第１画像データで表される各画素の階調値を行方向又は列方向に累積したヒストグラムを生成し、ヒストグラムに周期性が現れたならば、第１画像データが文字画像であると判定する。次に、コントローラー２０は、第１画像データで表される画像の外接矩形を生成し、外接矩形の大きさが閾値未満であるならば、事前減色変換手段２０９による処理を行わずに、ディザ変換手段２１０によりディザ処理を施す。一方、外接矩形の大きさが閾値以上であるならば、コントローラー２０は、事前減色変換手段２０９によって事前減色画像データを生成し、事前減色画像データに対してディザ変換手段２１０によりディザ処理を施す。
【００６４】
＜変形例２＞
テーブルから分割画素階調値を取得することができなかった場合には、事前減色変換手段２０９による処理を行わないようにしてもよい。例えば、対象画素の周囲８近傍の画素の階調値に対応する分割画素階調値がテーブルに書き込まれていない場合がある。このような場合に、コントローラー２０は、事前減色変換手段２０９による処理を行わずに、ディザ変換手段２１０によりディザ処理を施す。
【００６５】
＜変形例３＞
非背景画素の抽出においては、白画素の判定に幅を持たせてもよい。例えば、ソフトウェアによっては、２５６階調の画像データにおいて白画素を２５４といった値に設定するものもあるので、階調値の最大値が白画素であるとは限らないからである。
【００６６】
＜変形例４＞
実施形態は、背景が白であるという前提で説明されているが、背景が色以外、例えば黒であってもよい。この場合、第１階調値は黒に対応する。
【００６７】
＜変形例５＞
実施形態では、周囲８近傍に白画素が存在することをエッジ候補画素の条件としたが、例えば、白画素であるか否かの判定の対象は、いかなる範囲でもよい。例えば、選択された画素の上下左右の４画素でもよいし、周囲２４近傍でもよい。
実施形態では、テーブルが一の画素の周囲８近傍の画素の階調情報を有する例を示したが、テーブルが階調情報を有する画素の範囲はいかなる範囲でもよい。例えば、一の画素の上下左右の４画素の階調情報を有していてもよいし、一の画素の周囲２４近傍の画素の階調情報を有していてもよい。
【００６８】
＜変形例６＞
実施形態を非背景画素抽出手段２０４と事前変換手段２０５を備えない構成に変形してもよい。この場合、取得手段２０８は、対象画素に対して定められた位置関係にある画素の第１画像データにおける階調値に基づいて、分割画素階調値をテーブルから取得する。
【００６９】
＜変形例７＞
処理とハードウェア要素の対応関係は実施形態で説明したものに限定されない。例えば、減色処理を行う主体はコントローラー２０ではなく、ＣＰＵ３０であってもよい。
【００７０】
＜変形例８＞
電子機器１は、電子ブックリーダーに限定されない。電子機器１は、パーソナルコンピューター、ＰＤＡ（Personal Digital Assistant）、携帯電話、スマートフォン、タブレット端末、または携帯ゲーム機であってもよい。
画素１４の等価回路は、実施形態で説明されたものに限定されない。画素電極１１４と共通電極１３１との間に制御された電圧を印加できる構成であれば、スイッチング素子および容量素子はどのように組み合わせられてもよい。また、この画素を駆動する方法は、単一のフレームにおいて、印加電圧の極性が異なる電気泳動素子１４３が存在する両極駆動、または、単一のフレームにおいてはすべての電気泳動素子１４３において同一の極性の電圧が印加される片極駆動のいずれであってもよい。
画素１４の構造は、実施形態で説明したものに限定されない。例えば、荷電粒子の極性は実施形態で説明したものに限定されない。黒の電気泳動粒子が負に帯電し、白の電気泳動粒子が正に帯電していてもよい。この場合は、画素に印加する電圧の極性は実施形態で説明したものと逆になる。また、表示素子は、マイクロカプセルを用いた電気泳動方式の表示素子に限定されない。液晶素子または有機ＥＬ（Electro Luminescence）素子など、他の表示素子が用いられてもよい。
【符号の説明】
【００７１】
１…電子機器、１０…表示部、１１…第１基板、１２…電気泳動層、１３…第２基板、１４…画素、１６…走査線駆動回路、１７…データ線駆動回路、２０…コントローラー、３０…ＣＰＵ、４０…ＶＲＡＭ、５０…ＲＡＭ、６０…記憶部、７０…入力部、１１１…基板、１１２…接着層、１１３…回路層、１１４…画素電極、１１５…走査線、１１６…データ線、１２１…マイクロカプセル、１２２…バインダー、１３１…共通電極、１３２…フィルム、１４１…トランジスター、２０１…第１記憶手段、２０２…第２記憶手段、２０３…第３記憶手段、２０４…非背景画素抽出手段、２０５…事前変換手段、２０６…エッジ候補画素抽出手段、２０７…対象画素抽出手段、２０８…取得手段、２０９…事前減色変換手段、２１０…ディザ変換手段
【図１】
2013200476.tif 000003
【図２】
2013200476.tif 000004
【図３】
2013200476.tif 000005
【図４】
2013200476.tif 000006
【図５】
2013200476.tif 000007
【図６】
2013200476.tif 000008
【図７】
2013200476.tif 000009
【図８】
2013200476.tif 000010
【図９】
2013200476.tif 000011
【図１０】
2013200476.tif 000012
【図１１】
2013200476.tif 000013
【図１２】
2013200476.tif 000014
【図１３】
2013200476.tif 000015
【図１４】
2013200476.tif 000016
【図１５】
2013200476.tif 000017
【図１６】
2013200476.tif 000018
【図１７】
2013200476.tif 000019
【図１８】
2013200476.tif 000020
【図１９】
2013200476.tif 000021
【図２０】
2013200476.tif 000022